(57)【要約】【課題】生体外由来の歯面着色による汚れ（タバコのヤニ、コーヒー、紅茶、ワイン等）を効率よく短時間で除去でき、その除去能力がメラミンフォームに匹敵し且つ、耐久性、安全性に優れた清掃具の開発を課題とした。【解決手段】不織布（マスク使用品のように繊維組織が極細であり、ポリプロピレン、ポリエステル、アクリル、レーヨン、コットンなど耐久性に優れたもの）に、カルシュウム粒子を清掃材とし、粘着力を有する固定材と水分を加え撹拌した液体に漬け置き含浸後、湿潤状態まで脱水乾燥固定することでメラミンフォームにおける着色除去力に匹敵し且つ耐久性、安全性に優れた清掃具が完成した。【選択図】図３
2015093181.tif 000002
【特許請求の範囲】
【請求項１】
カルシュウム粒子を清掃基材に、粘着力を有する固定材と水分を加え撹拌した液体に不織布を投入した後、乾燥処理することで不織布組織にカルシュウム粒子からなる清掃基材を粘着固定した清掃具及び歯面清掃具。
【請求項２】
請求項１の不織布であって、カルシュウム粒子の清掃基材と、それを粘着固定する固定材両者が食品及び食品添加物であることを特徴とする清掃具及び歯面清掃具。
【請求項３】
芯材となる板状発泡素材片面又は両面に、請求項１及び２に記載の不織布いずれか１項が溶着固定されていることを特徴とする清掃具及び歯面清掃具。
【請求項４】
請求項１乃至３に記載の不織布において、その片面又は両面がエンボス構造であることを特徴とする清掃具及び歯面清掃具。
【請求項５】
請求項１乃至４に記載の不織布において、その素材がポリエステル・ポリプロピレン・アクリル・コットンであることを特徴とする清掃具及び歯面清掃具。
【請求項６】
カルシュウム粒子に、粘着力を有する固定材と水分を加え撹拌した液体に不織布を漬け置く含浸工程と、取り出した不織布を脱水し湿潤状態にした後、乾燥状態にすることを特徴とする請求項１及び２に記載の清掃具及び歯面清掃具の製造方法。
【請求項７】
芯材となる板状発泡素材片面又は両面に、請求項１及び２に記載の不織布いずれか１項が溶着固定されていることを特徴とする清掃具及び歯面清掃具の製造方法。
【請求項８】
芯材となる板状発泡素材片面又は両面に、エンボス加工された請求項１及び２に記載の不織布いずれか１項が溶着固定されていることを特徴とする清掃具及び歯面清掃具の製造方法。
【発明の詳細な説明】
【技術分野】
【０００１】本発明は、カルシュウム粒子含浸不織布清掃具とその製造に関する。
【背景技術】
【０００２】本発明は、今年５月発明の名称、「歯面清掃及び口腔内清掃具とその製造方法」（特許願２０１３−１１０３４６号）、今年８月発明の名称、同一（特許願２０１３−１７７２７８号）を出願し、その後の研究開発において、商品化に向けての課題及び改良方法が確立したため、関連特許として再度特許出願したものである。
【発明の開示】
【発明者が解決しようとする課題】
【０００３】生体外由来の歯面着色汚れ（タバコのヤニ、コーヒー、紅茶、ワイン等）を効率よく短時間で除去するにあたり、マイクロ繊維シート（今回は不織布と記載する）単体においては実験の結果、メラミンフォーム、圧縮メラミンフォームに対し、使用時における耐久力（使用回数）では著しく優れる結果となり、安全性においても問題はないが生体外由来の歯面着色汚れ、生活における一般汚れ除去力においては劣ることが各条件時の実験から判明した。
この結果を踏まえ、耐久性、安全性だけでなく生体外由来の着色汚れ除去力においても、メラミンフォーム、圧縮メラミンフォームに劣ることのない商品の再開発を課題とした。
【課題を解決するための手段】
【０００４】不織布を構成する繊維組織はマスク使用品である、ポリプロピレン、ポリエステル、アクリル、コットン等の極細繊維組織においても小柱間エナメル質へ入り込むことが難しく、砂消しゴム（サンドペーパーの原理も同じ）の原理により極微粒子に分解しながら汚れを除去するメラミンフォーム、圧縮メラミンフォームに対し劣ることとなり、この結果から下記の手段を発明した。
【０００５】歯磨剤等に使用されるカルシュウム粒子を清掃基材とし、不織布極細繊維組織に効率よくカルシュウム粒子を付着させる目的から粘着力を有する固定材（脂質類）と水分を加え撹拌した液体に不織布を投入し、繊維組織にカルシュウム粒子を含浸させ、湿潤状態まで脱水後、乾燥処理し商品とした。
上記した清掃基材、固定材の全てが食品、食品添加物であり、完全に乾燥することで腐敗の心配もなく、安心安全且つ、着色汚れ除去力においても優れた商品となった。
【発明の効果】
【０００６】メラミンフォーム、圧縮メラミンフォームによる着色汚れ除去能力に匹敵する除去力に加え、耐久性に優れ長時間使用可能な商品となった。
又、安全性においても、メラミンフォーム物性に起因したホルムアルデヒド等残留物質問題、着色汚れ除去メカニズム（剥離破壊を繰り返し砂消しゴムの原理により汚れを除去する）に起因する誤飲問題も解消された。
カルシュウム粒子（リン酸カルシュウム）の高度はＨｖ４０〜６０位でこの値は歯面エナメル質硬度と同等であり歯面を傷つける心配も少なくなった。（メラミンフォームにおける粒子の硬度はＨｖ１５０〜２００と高く冷間圧延鋼板に相当する）。
それに加え、固定材として使用される乳由来の脂質により歯肉に対しても優しく、コーティング効果も考えられる。
【発明を実施するための最良の形態】
【０００７】以下、本発明を実施するための最良の形態を図をもって説明する。【０００８】図１は歯表面エナメル質における組織構造を示した平面図であり、１がエナメル小柱、２が小柱間エナメル質、３が小柱鞘を示している。歯面に付着する生体外由来の着色汚れは上記した、エナメル小柱１（表面凸部）、小柱間エナメル質２（凹部）小柱鞘３（凹部側壁）に付き、その内一番除去が困難な部分が小柱間エナメル質２、小柱鞘３である。小柱間エナメル質２の溝幅は文献を引用すると１〜２μｍと狭く着色除去するには入り込む必要があるためである。【０００９】図２は今回使用したマスク地に使用されるポリプロピレン製不織布の走査電子顕微鏡写真（５００倍拡大）であり、不織布繊維組織４の直径は写真から推測して約１０〜１５μｍである。この事実から分かるように、不織布単体においてはマスク地のような極細繊維組織においてもメラミンフォームのように着色汚れを効率よく除去できないことが分かる。因みに、メラミンフォームが剥離破壊することにより発生する粒子の大きさは約１〜４μｍであり、小柱間エナメル質２内に侵入できる大きさである。【００１０】図３は上記不織布にカルシュウム粒子を固定材により含浸固定した走査電子顕微鏡写真（５００倍拡大）であり、５がカルシュウム粒子である。
今回使用したカルシュウム粒子の一種類がリン酸カルシュウムであり、このカルシュウムは植物の生育に重要であると同時に、動物の骨や歯の主成分（９０％以上）であるもので粒子の大きさは４００メッシュ（約３８μｍ）を使用した。
この拡大写真から分かるようにその大きさは同程度である。【００１１】上記したリン酸カルシュウムの他に、無水リン酸カルシュウム、重質炭酸カルシュウム、軽質炭酸カルシュウム、無水ケイ酸等が歯磨剤における主成分清掃基材として用いられるが、その粒子加工メッシュは上記した４００メッシュ程度であり、この大きさは口腔内で使用する際、違和感のない大きさである。【００１２】しかし、上記したカルシュウム粒子の大きさにおいてはエナメル小柱１の清掃には好適であっても、小柱間エナメル質２に入り込み清掃することは困難であり、当然小柱鞘３の清掃も難しい。【００１３】今回の発明品には上記したカルシュウム粒子の他に、水に対し溶解度の高いＬ型発酵乳酸カルシュウムを配合使用することで粒子の大きさを微細化し、唾液により溶け出したカルシュウム粒子が小柱間エナメル質２内に入り込み、小柱鞘３も含め清掃が可能となった。
従来、歯磨剤における清掃基材として用いられてきた、炭酸カルシュウムにおいて、溶解度は水２５℃時で１．５ｍｇ／１００ｇ、リン酸カルシュウムにおいても２．５ｍｇ／１００ｇ位であるのに対し、Ｌ型発酵乳酸カルシュウムにおいては１０倍以上の溶解度であり、小柱間エナメル質２内に容易に入り込み清掃が可能となった。
それに加え、固定材として乳由来の乳酸脂質、蛋白質、炭水化物、乳糖、ＣＰＰ（カゼインホスホペプチド）等を使用することで歯面をコーティングにより保護することにもなった。
但し、商品化するにあたり、完全乾燥が重要であり、着色汚れ除去目的の場合、各種カルシュウム配合例は水分１００ｇに対し、リン酸カルシュウム類５〜１０ｇ、Ｌ型発酵乳酸カルシュウム３〜６ｇ、固定剤３〜６ｇ程度が好適である。
又、前回の特許出願で示したように、上記加工不織布６を、溶着用シート７において発泡部材本体８に溶着圧縮方向９に溶着することにより清掃時圧力方向１１が働き、歯列１０にフィットし効果が上昇した。【００１４】Ｌ型発酵乳酸カルシュウム及び固定剤に使用する乳由来の各成分においては、動物性だけでなくアレルギー問題から、より安全安心を考慮して植物性由来品（豆乳カルシュウム等）の使用も好適である。
【図面の簡単な説明】
【００１５】
【図１】歯表面エナメル質における組織構造を示した平面図
【図２】不織布を走査電子顕微鏡で撮影した５００倍拡大写真
【図３】不織布にカルシュウム粒子を含浸後、走査電子顕微鏡で撮影した５００倍拡大写真
【図４】発泡部材本体に溶着シート及び、不織布（マイクロ繊維シート）を積層した状態を示す斜射図
【図５】歯面凹凸に対し、本発明品が密着清掃する原理を示したイメージ図
【符号の説明】
【００１６】  １、エナメル小柱（エナメル質組織構造）
２．小柱間エナメル質（エナメル質組織構造）
３．小柱鞘（エナメル質組織構造）
４．不織布（マイクロ繊維シート）繊維組織
５．カルシュウム粒子
６．不織布（マイクロ繊維シート）
７．溶着用シート
８．発泡部材本体
９．溶着圧縮方向
１０．歯列
１１．清掃時圧力方向
【図１】
2015093181.tif 000003
【図２】
2015093181.tif 000004
【図３】
2015093181.tif 000005
【図４】
2015093181.tif 000006
【図５】
2015093181.tif 000007